(57)【要約】【課題】階段の踏板１を覆う養生材９の取付作業を可及的になくして階段の施工を容易化する。【解決手段】踏板１に組み付けられた養生材９を梱包材として踏板１が梱包された階段セットＡとする。養生材９は、踏板１表面の踏面１ａを覆う踏面覆い部１０と、踏面覆い部１０に直角に接続され、踏板１の前端面１ｂを覆う前端面覆い部１１と、前端面覆い部１１に接続されて踏板１の裏側に突出し、前端面覆い部１１との境界位置で後側に折曲げ可能な突出部１２とを有する断面Ｌ字状の板材からなっていて、踏面覆い部１０の後端部で踏板１に養生テープ２０により固定され、踏板１に養生テープ２０が踏板１の施工現場で外されることなく踏板１を取付可能な状態となるように貼り付けられている。養生材９が固定された２枚の踏板１が各々の裏面１ｃを対向させかつ前後を逆にした状態で重ね合わされ、各踏板１の養生材９の突出部１２が相手側の踏板１の後端面１ｄを覆っている。【選択図】図１
2016183490.tif 000002
【特許請求の範囲】
【請求項１】
階段の踏板と、該踏板に組み付けられた養生材とを備え、踏板が養生材を梱包材として梱包された階段セットであって、
上記養生材は、踏板表面の踏面を覆う踏面覆い部と、該踏面覆い部に直角に接続され、階段の施工状態で踏板の手前側に位置する前端面を覆う前端面覆い部と、該前端面覆い部に接続されて踏板の裏側に突出し、前端面覆い部との境界位置で後側に折曲げ可能な突出部とを有する断面Ｌ字状の板材からなっていて、上記踏面覆い部の後端部で踏板に養生テープにより固定され、
上記養生材が固定された２枚の踏板が各々の裏面を対向させかつ前後を逆にした状態で重ね合わされ、各踏板の養生材の上記突出部が相手側の踏板の後端面の少なくとも一部を覆っており、
運搬状態では上記養生材が梱包材として露出していることを特徴とする階段セット。
【請求項２】
請求項１において、
階段は、踏板が裏面の後端部で側桁に固定されるオープン階段であり、
上記踏板の長さ方向の全体が養生材及び養生テープにより、踏板の施工現場で該養生テープが外されることなく踏板を取付可能な状態となるように覆われており、
梱包状態で組み合わせられた踏板の外周面の少なくとも長さ方向の端部及び養生材で覆われていない部分が養生材以外の他の梱包材で覆われていることを特徴とする階段セット。
【請求項３】
請求項１において、
各踏板には切欠部が形成されていて、
階段は、踏板が上記切欠部で側桁に嵌合されて固定されるプレカット階段であり、
上記踏板の切欠部を除く部分が養生材及び養生テープにより、踏板の施工現場で該養生テープが外されることなく踏板を取付可能な状態となるように覆われており、
梱包状態で組み合わせられた踏板の外周面において、少なくとも養生材により覆われていない部分が養生材以外の他の梱包材で覆われていることを特徴とする階段セット。
【請求項４】
請求項１において、
階段は、踏板が長さ方向の一端部で側桁に嵌合されて固定され、他端部が施工現場で切断されて取り付けられるフリーカット階段であり、
上記踏板の一端部を除く部分が養生材及び養生テープにより、踏板の施工現場で該養生テープが外されることなく踏板を取付可能な状態となるように覆われており、
梱包状態で組み合わせられた踏板の外周面の少なくとも他端部及び養生材で覆われていない部分が養生材以外の他の梱包材で覆われていることを特徴とする階段セット。
【請求項５】
請求項４において、
踏板の他端部側の養生材には、踏板の切断位置に応じて養生材を切断可能な複数の脆弱部が設けられていることを特徴とする階段セット。
【請求項６】
請求項１〜５のいずれか１つにおいて、
養生材の突出部には、相手側の踏板の踏面後端部を覆うように突出部の途中位置で後側に折曲げ可能な折曲げ可能部が設けられていることを特徴とする階段セット。
【請求項７】
請求項１〜６のいずれか１つの階段セットにおいて、
養生材は、中間部で直角に折曲げ可能な平板状の板材からなっていて、該板材の折曲げによって踏面覆い部と前端面覆い部及び突出部とが形成可能に構成されていることを特徴とする階段セット。
【請求項８】
請求項１〜７のいずれか１つの階段セットに梱包された踏板により施工される階段であって、
各踏板が養生材及び養生テープで覆われたままの状態で側桁に固定され、
養生材の突出部が前端面覆い部との境界位置で後側に折り曲げられて踏板裏面の前端部を覆っていることを特徴とする階段。
【請求項９】
請求項８において、
養生材の突出部と踏板裏面の前端部とに亘って養生テープが貼り付けられていることを特徴とする階段。
【請求項１０】
請求項１〜７のいずれか１つの階段セットにより、階段の踏板を養生材によって梱包する階段踏板の梱包方法であって、
上記養生材を踏板に対し、養生材の踏面覆い部が踏板の踏面を、また前端面覆い部が踏板の前端面をそれぞれ覆うように積層して、上記踏面覆い部の後端部を踏板に養生テープにより固定するとともに、踏板に養生テープを、踏板の施工現場で該養生テープが外されることなく踏板が取付可能な状態となるように貼り付け、
上記養生材が固定された２枚の踏板を各々の裏面が対向しかつ前後が逆にされた状態で重ね合わせて、各踏板の養生材の上記突出部が相手側の踏板の後端面を覆うように梱包することを特徴とする階段踏板の梱包方法。
【請求項１１】
請求項１０の階段踏板の梱包方法により梱包された踏板によって階段を施工する方法であって、
各踏板を養生材及び養生テープで覆われたままの状態で該養生テープを外すことなく側桁に固定し、
養生材の突出部を前端面覆い部との境界位置で後側に折り曲げて踏板裏面の前端部を覆うことを特徴とする階段の施工方法。
【発明の詳細な説明】
【技術分野】
【０００１】
本発明は、踏板に養生材が組み付けられた階段セット、この階段セットにより施工された階段、階段踏板の梱包方法及び階段の施工方法に関するものである。
【背景技術】
【０００２】
一般に、住宅を施工する場合において、階段が施工されると、その後も階段は他の各種建材や設備等を搬入する際に使用されるので、階段を構成する踏板や側桁等の部材が傷付かないように養生材を取り付けることが行われている。
【０００３】
そのとき、養生材を施工された踏板の大きさに合わせてカットし、踏板表面の踏面から、手前側に位置する前端面を経て踏板裏面の前端部までを養生材で覆う必要があり、この作業が施工現場では手間になる。
【０００４】
また、踏板等の階段部材は上に人が載るので、集成材やＭＤＦ等の重い材料で構成されており、そのため、厚めの段ボールで表面を覆われて現場に配送される。この場合、厚めの段ボールは現場配送された後に開梱され、ごみとして排出されるため、廃棄物が多くなるという問題があった。
【０００５】
そこで、従来、例えば特許文献１に示されるように、階段の踏板を梱包する梱包材の一部を養生材として再利用し、梱包材において踏板の表面及び前端面に相当する部分に養生材を貼着しておき、階段の施工後に養生材を梱包材から切り取ってそれぞれ踏板の表面及び前端面に接着することが提案されている。
【先行技術文献】
【特許文献】
【０００６】
【特許文献１】特許第３４７３５０３号公報
【発明の概要】
【発明が解決しようとする課題】
【０００７】
上記提案のものでは、梱包材の一部を養生材として利用するので、資材の有効利用では有利である。
【０００８】
しかし、梱包材からその一部を切り取って養生材にするので、養生材を別途に用意することが不要になるだけで、その切り取った養生材を踏板に貼り付ける作業が必要であり、やはり養生材の取付作業を行わねばならないという難がある。
【０００９】
また、養生材を階段部材の施工後に踏板に取り付ける場合、養生材と踏板との間にゴミ等が挟みこまれると、傷付きの原因になるため、養生材について細かな清掃が必要となる。そのため、さらに手間が必要になるという難もある。
【００１０】
本発明は斯かる諸点に鑑みてなされたもので、その目的は、階段の踏板を覆う養生材の構造に工夫を加えることにより、踏板に対する養生材の取付作業前の清掃作業及び取付作業を可及的になくして、階段の施工を容易化することにある。
【課題を解決するための手段】
【００１１】
上記の目的を達成するために、この発明では、養生材は予め踏板に施工状態の踏板を覆うように固定して組み付けておき、その踏板を養生材が梱包材となるように２枚重ね合わせて梱包するようにした。
【００１２】
具体的には、第１の発明は、階段の踏板と、該踏板に組み付けられた養生材とを備え、踏板が養生材を梱包材として梱包された階段セットであって、上記養生材は、踏板表面の踏面を覆う踏面覆い部と、この踏面覆い部に直角に接続され、階段の施工状態で踏板の手前側に位置する前端面を覆う前端面覆い部と、この前端面覆い部に接続されて踏板の裏側に突出し、前端面覆い部との境界位置で後側に折曲げ可能な突出部とを有する断面Ｌ字状の板材からなっていて、上記踏面覆い部の後端部で踏板に養生テープにより固定され、上記養生材が固定された２枚の踏板が各々の裏面を対向させかつ前後を逆にした状態で重ね合わされ、各踏板の養生材の上記突出部が相手側の踏板の後端面を覆っており、運搬状態では上記養生材が梱包材として露出していることを特徴とする。
【００１３】
この第１の発明では、階段の各踏板に養生材が養生テープにより固定されて組み付けられており、この養生材が組み付けられた踏板が裏面同士を対向させかつ前後逆向きにして２枚重ねで積層された状態で梱包されているので、２枚の踏板の養生材は踏板を外側から覆う梱包材となり、この養生材を梱包材として踏板が梱包される。こうして養生材を梱包材と兼用することにより、資材を有効利用することができる。また、その梱包状態では、各踏板の養生材の突出部が相手側の踏板の後端面の少なくとも一部を覆っており、運搬状態では上記養生材が梱包材として露出しているので、階段セットの運搬時等で踏板の後端面が傷付くのを防止することができる。
【００１４】
そして、階段の施工現場で階段セットの梱包を解いた状態では、各踏板は既に貼着されている養生テープを外すことなく施工現場で取付可能な状態として、各踏板に養生材が踏板の踏面と前端面とを覆う通常の養生状態に固定されており、その踏板を側桁に施工することで、踏板の踏面及び前端面がそれぞれ養生材の踏面覆い部及び前端面覆い部によって覆われる。また、養生材の突出部を前端面覆い部との境界位置で後側に折り曲げ、踏板裏面を養生テープで止め付けることで、その折り曲げられた突出部により踏板裏面の前端部が覆われる。このように、各踏板に予め養生材が組み付けられているので、その踏板を側桁に固定して階段を施工すれば、その施工と同時に自動的に踏板ないし階段の養生状態が得られることとなり、養生材取付前の清掃作業、施工後の踏板に別途養生材を取り付ける作業が不要となり、取付作業の手間をなくして階段の施工を容易化することができる。それだけでなく、養生材取付前の清掃の手間が省け、さらには現場で排出される梱包材ゴミが最小限となる。
【００１５】
第２の発明は、第１の発明において、階段は、踏板が裏面の後端部で側桁に固定されるオープン階段であり、上記踏板の長さ方向の全体が養生材及び養生テープにより、踏板の施工現場では該養生テープが外されることなく踏板を取付可能な状態となるように覆われており、梱包状態で組み合わせられた踏板の外周面の少なくとも長さ方向の端部及び養生材で覆われていない部分が養生材以外の他の梱包材で覆われていることを特徴とする。
【００１６】
この第２の発明では、踏板が裏面の後端部で側桁に固定されるオープン階段において、その踏板が長さ方向の全体で養生材及び養生テープにより覆われ、梱包状態で組み合わせられた踏板の外周面の少なくとも長さ方向の端部及び養生材で覆われていない部分が他の梱包材で覆われているので、オープン階段の踏板を養生材で梱包できるとともに、オープン階段の踏板を施工するときの養生材取付前の清掃作業、施工後の養生材の取付作業の手間をなくして、オープン階段の施工を容易化することができる。また、長さ方向の端部のみが他の梱包材で覆われているため、養生材取付前の清掃の手間が省け、さらには現場で排出される梱包材ゴミが最小限となる。また、踏板の少なくとも長さ方向の端部のみが他の梱包材で覆われているので、現場で排出されるゴミが最小限となる。
【００１７】
第３の発明は、第１の発明において、各踏板には切欠部が形成されていて、階段は、踏板が上記切欠部で側桁に嵌合されて固定されるプレカット階段であり、上記踏板の切欠部を除く部分が養生材及び養生テープにより、踏板の施工現場で該養生テープが外されることなく踏板を取付可能な状態となるように覆われており、梱包状態で組み合わせられた踏板の外周面において、少なくとも養生材により覆われていない部分が養生材以外の他の梱包材で覆われていることを特徴とする。
【００１８】
この第３の発明では、踏板が切欠部で側桁に嵌合されて固定されるプレカット階段において、踏板が切欠部を除く部分でかつ踏板の取付時に養生テープを外さなくてよい部分が養生材及び養生テープにより覆われ、梱包状態で組み合わせられた踏板の外周面の少なくとも養生材により覆われていない部分が他の梱包材で覆われているので、プレカット階段の踏板を養生材で梱包できるとともに、プレカット階段の踏板を施工するときの養生材の取付作業の手間をなくしてプレカット階段の施工を容易化することができる。また、施工後に養生が不要な部分のみが他の梱包材で覆われているため、養生材の取付前の清掃の手間が省け、さらには現場で排出される梱包材ゴミが最小限となる。
【００１９】
第４の発明は、第１の発明において、階段は、踏板が長さ方向の一端部で側桁に嵌合されて固定され、他端部が施工現場で切断されて取り付けられるフリーカット階段であり、上記踏板の一端部を除く部分が養生材及び養生テープにより、踏板の施工現場で該養生テープが外されることなく踏板を取付可能な状態となるように覆われており、梱包状態で組み合わせられた踏板の外周面の少なくとも他端部及び養生材で覆われていない部分が養生材以外の他の梱包材で覆われていることを特徴とする。
【００２０】
この第４の発明では、踏板が長さ方向の一端部で側桁に嵌合されて固定され、他端部が施工現場で切断されるフリーカット階段における踏板が踏板の一端部を除く部分で養生材及び養生テープにより覆われ、梱包状態で組み合わせられた踏板の外周面の少なくとも他端部が他の梱包材で覆われているので、フリーカット階段の踏板を養生材で梱包できるとともに、フリーカット階段の踏板を施工するときの養生材の取付作業の手間をなくしてフリーカット階段の施工を容易化することができる。また、施工時にカットする部分及び施工後に養生が不要な部分のみが他の梱包材で覆われているため、養生材の取付前の清掃の手間が省け、さらには現場で排出される梱包材ゴミが最小限となる。
【００２１】
第５の発明は、第４の発明において、踏板の他端部側の養生材には、踏板の切断位置に応じて養生材を切断可能な複数の脆弱部が設けられていることを特徴とする。
【００２２】
この第５の発明では、フリーカット階段の踏板の他端部を施工現場で切断して施工するときに、その切断に応じて養生材を脆弱部で容易に切断でき、養生材の切断工具による切断が不要となり、フリーカット階段の施工を容易に行うことができるとともに、カッター等の切断工具による踏板の傷付きのリスクを回避できる。
【００２３】
第６の発明は、第１〜第５の発明のいずれか１つにおいて、養生材の突出部には、相手側の踏板の踏面後端部を覆うように突出部の途中位置で後側に折曲げ可能な折曲げ可能部が設けられていることを特徴とする。
【００２４】
この第６の発明では、養生材の突出部の途中に折曲げ可能部が形成されているので、２枚の踏板を重ねた積層状態では、折り曲げ可能部で突出部を折り曲げることにより、突出部の折り曲げられた先端側部が相手側の踏板の踏面後端部を養生テープが貼り付けられた状態のまま覆うようになり、階段セットの運搬時に踏板の踏面の後端部が傷付くのを防止することができる。また、開梱し、それぞれ施工するときには、養生材及び養生テープが貼り付けられた状態のまま施工されることになる。
【００２５】
第７の発明は、第１〜第６の発明のいずれか１つにおいて、養生材は、中間部で直角に折曲げ可能な平板状の板材からなっていて、その板材の折曲げによって踏面覆い部と前端面覆い部及び突出部とが形成可能に構成されていることを特徴とする。
【００２６】
この第７の発明では、平板状の板材を折り曲げることで、養生材の踏面覆い部と前端面覆い部及び突出部とが形成されるので、別々の板材を直角に接合して踏面覆い部と前端面覆い部及び突出部とを形成する場合に比べ、別のテープ材料等を用いることなく、養生材を容易に形成することができる。
【００２７】
第８の発明は、第１〜第７の発明のいずれか１つの階段セットに梱包された踏板により施工される階段であって、この階段は、各踏板が養生材及び養生テープで覆われたままの状態で側桁に固定され、養生材の突出部が前端面覆い部との境界位置で後側に折り曲げられて踏板裏面の前端部を覆っていることを特徴とする。
【００２８】
この第８の発明では、階段の施工状態で、各踏板が養生材及び養生テープで覆われたまま側桁に固定され、養生材の突出部が後側に折り曲げられて踏板裏面の前端部を覆っているので、踏板の踏面、前端面及び裏面の前端部を養生材により覆って階段の養生を行うことができる。
【００２９】
第９の発明は、第８の発明において、養生材の突出部と踏板裏面の前端部とに亘って養生テープが貼り付けられていることを特徴とする。
【００３０】
この第９の発明では、養生材の突出部と踏板裏面の前端部とに亘って養生テープが貼り付けられているので、養生材の突出部が踏板裏面の前端部から離れて垂れ下がることはなく、階段の養生を安定して行うことができる。
【００３１】
第１０の発明は、第１〜第７の発明のいずれか１つの階段セットにより、階段の踏板を養生材によって梱包する階段踏板の梱包方法であって、この方法は、上記養生材を踏板に対し、養生材の踏面覆い部が踏板の踏面を、また前端面覆い部が踏板の前端面をそれぞれ覆うように積層して、上記踏面覆い部の後端部を踏板に養生テープにより固定するとともに、踏板に養生テープを、踏板の施工現場で該養生テープが外されることなく踏板が取付可能な状態となるように貼り付け、上記養生材が固定された２枚の踏板を各々の裏面が対向しかつ前後が逆にされた状態で重ね合わせて、各踏板の養生材の上記突出部が相手側の踏板の後端面を覆うように梱包することを特徴とする。
【００３２】
この第１０の発明でも、第１の発明と同様の作用効果が得られる。
【００３３】
第１１の発明は、第１０の発明の階段踏板の梱包方法により梱包された踏板によって階段を施工する方法であって、各踏板を養生材及び養生テープで覆われたままの状態で該養生テープを外すことなく側桁に固定し、養生材の突出部を前端面覆い部との境界位置で後側に折り曲げて踏板裏面の前端部を覆うことを特徴とする。
【００３４】
この第１１の発明でも、第８の発明と同様の作用効果が得られる。
【発明の効果】
【００３５】
以上説明したように、本発明によると、階段の踏板に、その踏面を覆う踏面覆い部と前端面を覆う前端面覆い部と前端面覆い部に接続された突出部とを有する養生材を梱包材として一体的に組み付け、２枚の階段を裏面同士が対向するように前後逆向きに重ね合わせて、養生材の突出部で相手側の踏板の後端面を覆うようにしたことにより、踏板を側桁に固定して階段を施工すると同時に自動的に階段の養生状態が得られ、施工後の踏板に別途養生材を取り付ける作業を不要とし、養生材取付前の清掃の手間が省け、さらには階段の施工を容易化することができる。
【図面の簡単な説明】
【００３６】
【図１】図１は、本発明の実施形態１に係る階段セットの要部を示す側面図である。
【図２】図２は、梱包された階段セットの斜視図である。
【図３】図３は、階段セットにおける踏板と踏板に組み付けられる養生材とを示す斜視図である。
【図４】図４は、階段セットを梱包するときの手順を示す側面図である。
【図５】図５は、養生材を組み付けた踏板が施工された状態の階段の要部を示す側面図である。
【図６】図６は、プレカット階段の踏板に養生材及び養生テープが組み付けられた状態を示す斜視図である。
【図７】図７は、フリーカット階段の階段セットにおける踏板の梱包状態と、施工時に踏板及び養生材の端部を切断する状態とを示す平面図である。
【図８】図８は、階段セットの変形例を示す側面図である。
【図９】図９は、本発明の実施形態２を示す図１相当図である。
【図１０】図１０は、本発明の実施形態２を示す図４相当図である。
【図１１】図１１は、実施形態２に係る階段セットを、段ボールを除いて示す斜視図である。
【図１２】図１２は、実施形態２に係る階段セットの施工手順を示す側面図である。
【発明を実施するための形態】
【００３７】
以下、本発明の実施形態を図面に基づいて詳細に説明する。以下の実施形態の説明は、本質的に例示に過ぎず、本発明、その適用物或いはその用途を制限することを意図するものでは全くない。
【００３８】
（実施形態１）
図１及び図２は本発明の実施形態１に係る階段セットＡ（階段踏板の梱包体）を示し、この階段セットＡは、階段の一部を構成する２枚の踏板１，１と、この各踏板１にそれぞれ組み付けられた２つの養生材９，９とを備え、両養生材９，９を梱包材として２枚の踏板１，１が梱包されている。
【００３９】
本発明では、階段として、例えばオープン階段、プレカット階段及びフリーカット階段の３種類が設定されている。すなわち、オープン階段は、踏板１の左右端部が側桁（図示せず）に嵌合されて使用されるのではなく、各踏板１がその裏面１ｃの後端部で側桁に固定されており、蹴込板６（図５参照）の不要な階段である。
【００４０】
また、プレカット階段は、図６に示すように、各踏板１の踏面１ａ（表面）の一部に、後端面１ｄから前側に向かって有底状の切欠部２，２が形成されていて、各踏板１の表面の一部に左右の切欠部２，２が設けられ、この切欠部２，２で側桁に嵌合されて固定されている。この踏板１表面の切欠部２は１本でもよいし、２本以上でもよい。
【００４１】
さらに、フリーカット階段は、各踏板１が左右長さ方向の一端部で側桁に嵌合されて固定され、他端部が施工現場で切断され、左右端部がそれぞれ側桁に嵌合されて使用される。
【００４２】
これら３種類の階段は公知構造のものであり、詳細な説明を省略する。
【００４３】
いずれの種類の階段の踏板１も、踏板１の表面（階段の施工状態で上面）にある踏面の前端部（段鼻部分）に凹凸溝等からなる滑り止め部３が形成されている。滑り止め部３は、滑り止めの観点からあることが好ましいが、本発明の必須構成ではなく、例えば表面塗装により滑り難くされていたり、施工後に後付部材により滑り止めに対する配慮がなされていたりしてもよい。また、蹴込板６を必要とする階段では、踏板１の裏面１ｃ（階段の施工状態で下面）の前部に蹴込板６（図５参照）の上端部を嵌合するための蹴込板嵌合溝４が形成されている。
【００４４】
上記２つの養生材９，９は互いに同じものであり、断面Ｌ字状のインシュレーションボード等の板材からなる。図３及び図４（ａ）にも示すように、各養生材９は、各踏板１表面の踏面１ａを覆う踏面覆い部１０と、この踏面覆い部１０に直角に接続され、階段の施工状態で踏板１の手前側に位置する前端面１ｂを覆う前端面覆い部１１と、この前端面覆い部１１に接続されて踏板１の裏側に突出する突出部１２とを有し、踏板１をその踏面１ａの前端角部が養生材９裏面の角部に当接するように覆っている。踏面覆い部１０の後端部は踏板１に養生テープ２０により、該踏板１の表面及び前端面１ａ，１ｂに貼着された養生テープ２０を外すことなく施工現場で取付可能な状態で固定されており、このことで各踏板１に養生材９が一体的に固定されて組み付けられている。尚、図面での説明の都合上、養生テープ２０は、図１、図４、図５等の側面図では破線により示し、図７等の平面図及び図２等の斜視図では斜め線を記載して示している。
【００４５】
上記突出部１２と前端面覆い部１１との間には第１折曲げ可能部１４が形成されており、この第１折曲げ可能部１４により、突出部１２は前端面覆い部１１との境界位置で後側に折曲げ可能となっている。具体的には、図３に示すように、第１折曲げ可能部１４は、前端面覆い部１１と突出部１２との間にジグソーパズルのように形成されて養生材９の表裏面を貫通する切込み線１５（スリット）を有し、この切込み線１５は、切込み線１５両側の一方に養生材９による中広がりの凹部１５ａが、また他方に該凹部１５ａに嵌合する、養生材９による先太り状の凸部１５ｂがそれぞれ形成されるように両側に交互に湾曲しており、凸部１５ｂが凹部１５ａに対して切込み線１５の延びる方向を中心軸として回動しかつ凸部１５ｂの先端部が凹部１５ａの開口部で係合されることで、突出部１２が前端面覆い部１１に対し脱落することなく後側に折り曲げられるようになっている。尚、切込み線１５は互いに平行に延びるように複数本形成してもよく、そうすると折曲げをスムーズに行うことができる。また、第１折曲げ可能部１４は、本実施形態においては前端面覆い部１１と突出部１２との間にジグソーパズルのように形成されているが、裏面側又は表面側にＶ形状溝を入れておいてもよいし、破線の切込みを入れた脆弱部を設けて折曲げ可能に形成してもよい。
【００４６】
そして、階段セットＡにおいては、図１及び図４（ｂ）に示すように、２枚の踏板１，１が１セットとされ、それら２枚の踏板１，１は、各々に養生材９が固定されて組み付けられたままの状態で、各々の裏面１ｃ，１ｃを対向させかつ前後を逆にした状態で重ね合わされている。また、各踏板１に組み付けられた養生材９の突出部１２が相手側の踏板１の後端面１ｄの一部を覆っている。
【００４７】
階段セットＡにおいては、基本的に１枚の踏板１は、梱包状態で組み合わされたときの外周部が養生材９で覆われた状態で梱包されているが、階段の種類によっては養生材９や養生テープ２０で覆われていない部分があり、梱包状態で組み合わされたときの外周部で、少なくともこの養生材９により覆われていない部分は、養生材９以外の他の梱包材である段ボール２１（図２参照）で覆われている。
【００４８】
すなわち、階段がオープン階段である場合、図２に示すように、梱包状態で組み合わされたときの外周部の踏板１の長さ方向の全体が養生材９及び養生テープ２０により、踏板１の施工現場で養生テープ２０が外されることなく踏板１を取付可能な状態となるように覆われており、階段セットＡでは、各踏板１の長さ方向の左右端部近傍が段ボール２１（他の梱包材）で覆われている。
【００４９】
また、階段がプレカット階段である場合、図６に示すように、踏板１の左右の切欠部２，２を除く部分を養生材９及び養生テープ２０が、踏板１の施工現場で踏板１の踏面１ａ（表面）、前端面１ａ及び両切欠き部２，２に貼着された養生テープ２０が外されることなく踏板１を取付可能な状態となるように覆っており、階段セットＡでは、梱包状態で組み合わせられた踏板１の外周面において、養生材９により覆われていない部分が段ボール２１（図６には示していない）で覆われている。
【００５０】
さらに、踏板１が左右長さ方向の一端部で側桁に嵌合されて固定され、他端部が施工現場で切断されて取り付けられるフリーカット階段である場合、図７に示すように、踏板１の一端部を除く部分が養生材９及び養生テープ２０により、踏板１の施工現場で踏板１踏面１ａ（表面）及び前端面１ａに貼着された養生テープ２０が外されることなく踏板１を取付可能な状態となるように覆われており、階段セットＡでは、梱包状態で組み合わせられた踏板１の外周面の他端部（切断側）及び養生材で覆われていない部分が段ボール２１（図７には示していない）で覆われている。
【００５１】
特にフリーカット階段の場合、養生材９を取り付けたままの状態で踏板１のカットを行うため、図７に示すように、養生材９には、踏板１の他端部（切断側）に対応する位置に、その踏板１の他端部の切断位置に応じて嵌合部分が設けられるように養生材９を折曲げによって切断可能な複数（図示例では２つ）の脆弱部１６，１６，…が設けられている。これらの脆弱部１６，１６，…は、いずれも、例えば養生材９の表裏面を貫通する複数の貫通孔（図示せず）が養生材９の長さ方向と直交する方向の平面に沿って延びるように連続して形成されたものであり、この貫通孔が形成された部分を脆弱部１６として他の部分よりも脆弱にすることにより、その脆弱部１６で養生材９を、切断工具を用いなくても折曲げにより切断できるようになっている。
【００５２】
尚、２枚の踏板１，１は、各々に組み付けられた養生材９，９の上から結束バンド（図示せず）によって一体的に結束されて梱包されている。
【００５３】
この階段セットＡにより階段の踏板１，１を梱包する場合、まず、図４（ａ）に示すように、断面Ｌ字状の養生材９を踏板１に対し、養生材９の踏面覆い部１０が踏板１の踏面１ａを、また前端面覆い部１１が踏板１の前端面１ｂをそれぞれ覆うように積層し、その養生材９を踏面覆い部１０の後端部で踏板１に養生テープ２０により固定する。また、踏板１に養生テープ２０を、踏板１の施工現場で養生テープ２０が外されることなく踏板１が取付可能な状態となるように貼り付ける。
【００５４】
その後、図４（ｂ）に示すように、このように踏板１に養生材９が固定されて組み付けられた２枚の踏板１，１を各々の裏面１ｃ，１ｃが対向しかつ前後が逆にされた状態で重ね合わせる。このことで、図１に示すように、各踏板１の養生材９の突出部１２が相手側の踏板１の後端面１ｄを覆うようになり、その状態で梱包し、両踏板１，１において養生材９及び養生テープ２０により覆われていない部分を段ボール２１で梱包した後、結束バンドにより結束すればよい。
【００５５】
次に、上記階段セットＡに梱包された踏板１，１によって階段を施工する場合について説明すると、階段セットＡの結束バンドを切断し、断ポール紙２１を取り除くことで、養生材９が組み付けられたままの２枚の踏板１，１を取り出す。その後、図５に示すように、各踏板１を養生材９及び養生テープ２０で覆われたままの状態で該養生テープ２０を外すことなく側桁（図示せず）に固定して施工する。
【００５６】
この各踏板１の施工後は、養生材９の突出部１２を前端面覆い部１１との境界位置の第１折曲げ可能部１４で後側に折り曲げて踏板１の裏面１ｃ前端部を覆い、この突出部１２と踏板１の裏面１ｃの前端部とに亘って養生テープ２０を貼り付けて、養生材９の突出部１２を踏板１の裏面１ｃの前端部に固定すればよい（この折曲げ可能部１４で後側に折り曲げて踏板１の裏面１ｃ前端部を覆う工程は、踏板１の施工前に実施してもよい）。
【００５７】
すなわち、このように施工された階段は、各踏板１が養生材９及び養生テープ２０で覆われたままの状態で側桁に固定され、養生材９の突出部１２が前端面覆い部１１との境界位置（第１折曲げ可能部１４）で後側に折り曲げられて踏板１の裏面１ｃ前端部を覆っており、その養生材９の突出部１２と踏板１の裏面１ｃ前端部とに亘って養生テープ２０が貼り付けられている構造となる。図５中、６は階段における上下段の踏板１，１間に設けられた蹴込板で、その上端部は上段踏板１の裏面１ｃの蹴込板嵌合溝４に嵌合され、下端部は下段踏板１の後端面１ｄに固定されている。
【００５８】
したがって、上記実施形態においては、階段の各踏板１に養生材９が養生テープ２０により固定されて組み付けられており、この養生材９が組み付けられた２枚の踏板１，１が裏面１ｃ，１ｃ同士を対向させかつ前後逆向きにして２枚重ねで積層された状態で梱包されて階段セットＡが構成されている。このため、２つの養生材９，９はいずれも２枚の踏板１，１を外側から覆う梱包材となり、これらの養生材９，９によって踏板１，１が梱包されることとなる。このように踏板１に組み付けられた養生材９が梱包材を兼用するので、資材を有効利用することができる。
【００５９】
また、階段セットＡの梱包状態では、各踏板１に組み付けられた養生材９の突出部１２が相手側の踏板１の後端面１ｄを覆っているので、階段セットＡの運搬時等で各踏板１の後端面１ｄが傷付くのを防止することができる。
【００６０】
そして、階段の施工現場に階段セットＡを搬入して施工するために、その施工現場で階段セットＡの梱包を解いた状態では、既に各踏板１には養生材９が踏板１の踏面１ａと前端面１ｂとを覆うように、該踏板１の踏面１ａ（表面）及び前端面１ｂに貼着された養生テープ２０を外すことなく現場で取付可能な状態で組み付けられており、この組付状態は、階段の施工後の各踏板１に養生材９を取り付けた通常の養生状態と同じ状態である。そのため、その各踏板１を側桁に嵌合して階段を施工することで、踏板１に養生材９が取り付けられ、踏板１の踏面１ａ及び前端面１ｂがそれぞれ養生材９の踏面覆い部１０及び前端面覆い部１１によって覆われた状態となる。さらに、養生材９のうち、梱包時には相手側の踏板１の後端面１ｄを覆っていた突出部１２を前端面覆い部１１との境界位置の第１折曲げ可能部１４で後側に折り曲げることで、その折り曲げられた突出部１２により踏板１の裏面１ｃ前端部が覆われ、この突出部１２と踏板１の裏面１ｃ前端部とに亘って養生テープ２０が貼り付けられる。このことにより、踏板１の踏面１ａ、前端面１ｂ及び裏面１ｃの前端部が養生材９及び養生テープ２０により覆われた状態で階段の養生を行うことができる。また、養生材９の突出部１２と踏板１の裏面１ｃ前端部とに亘る養生テープ２０の貼付けにより、養生材９の突出部１２が踏板１の裏面１ｃから離れて垂れ下がることはなく、階段の養生を安定して行うことができる。
【００６１】
そのとき、予め養生材９が組み付けられている踏板１を側桁に固定して階段を施工すれば、その施工と同時に自動的に踏板１ないし階段の養生状態が得られるので、施工後の踏板１に別途の養生材を取り付ける作業が不要となり、養生材９の取付前の清掃の手間や養生材９の切欠き加工及び養生材９の取付作業の手間をなくして、階段の施工を容易化することができる。
【００６２】
また、階段がフリーカット階段である場合、踏板１の左右長さ方向の一端部は側桁に嵌合されて固定され、他端部は施工現場で切断されるが、この踏板１の切断される他端部側の養生材９に複数の脆弱部１６，１６，…が形成されているので、踏板１の他端部を切断した後に、その切断に合わせて養生材９を脆弱部１６，１６，…の１つで切断することにより嵌合部分を設ければよい。この脆弱部１６は他の部分よりも脆弱となっていて折曲げによって容易に切断できるので、切断工具による切断が不要となり、カッター等の切断工具による踏板１の傷付きのリスクを回避できる。よってフリーカット階段の施工を容易に安定的に行うことができる。
【００６３】
尚、上記実施形態では、養生材９が組み付けられた２枚の踏板１，１を梱包しているが、３枚以上の踏板１，１，…を梱包するようにしてもよい。図８は４枚の踏板１，１，…を梱包した１例を示し、この例では、上述のように養生材９が組み付けられた２枚の踏板１，１が各々の裏面１ｃ，１ｃを対向させかつ前後を逆にした状態で重ね合わされている。そして、その上側の踏板１の養生材９の上に３枚目の踏板１が裏面１ｃを下側の踏板１の養生材９に当接させかつ前後を逆にした状態で重ね合わされ、さらに、この３枚目の踏板１の養生材９の上に４枚目の踏板１が裏面１ｃを下側の３枚目の踏板１の養生材９に当接させかつ前後を逆にした状態（２枚目の踏板１と同じ状態）で重ね合わされている。このように３枚以上の踏板１，１，…を梱包することにより、１つの階段に使用するのに必要な踏板１，１，…の梱包数を少なくすることができる。
【００６４】
（実施形態２）
図９〜図１２は本発明の実施形態２を示し（尚、以下の各実施形態では、図１〜図７と同じ部分については同じ符号を付してその詳細な説明は省略する）、階段セットＡにおける各養生材９の突出部１２の長さを変更したものである。
【００６５】
すなわち、この実施形態では、図９〜図１１に示すように、階段セットＡにおける各養生材９の突出部１２は実施形態１のものに比べて長く、相手側の踏板１の後端面１ｄの全体を覆う後端面覆い部１２ａと、この後端面覆い部１２ａに連続し、後端面覆い部１２ａを踏板１の後端面１ｄを超えて延びるように延長した延長部１２ｂとからなり、この後端面覆い部１２ａと延長部１２ｂとの間には後側に折曲げ可能な第２折曲げ可能部１７が形成されている。この第２折曲げ可能部１７は、上記突出部１２と前端面覆い部１１との間の第１折曲げ可能部１４と同じ構造のものであり、ここでは説明を省略する（図３参照）。
【００６６】
また、突出部１２の後端面覆い部１２ａの途中には、上記と同様の脆弱部１６が形成されている（図７参照）。
【００６７】
そして、図９及び図１１に示すように、２枚の踏板１，１が重ね合わされた状態で、各養生材９の突出部１２が途中位置の折曲げ可能部１７で後側に折り曲げられて、折り曲げられた延長部１２ｂが相手側の踏板１の踏面１ａ後端部を養生テープ２０の上から覆うようになっている。尚、図１１では、段ボール２１を除いた状態を示している。
【００６８】
この実施形態の場合、養生材９の突出部１２の途中に折曲げ可能部１７が形成されているので、２枚の踏板１，１を重ねた積層状態では、折曲げ可能部１７で折り曲げられた突出部１２先端側の延長部１２ｂにより相手側の踏板１の踏面１ａ後端部を養生テープ２０が貼り付けられた状態のまま覆うことができ、階段セットＡの運搬時に踏板１の踏面１ａの後端部が傷付くのを防止することができる利点がある。また、開梱し、それぞれ施工するときには、養生材９及び養生テープ２０が貼り付けられた状態のまま施工されることになる。
【００６９】
この実施形態２に係る階段セットＡの踏板１を施工するときには、図１２に示すように、突出部１２において、折り曲げられている延長部１２ｂを後端面覆い部１２ａの延長上に位置するように元に戻した後、後端面覆い部１２ａの途中の脆弱部１６で切断して延長部１２ｂ側を除去し、残りの部分を突出部１２と前端面覆い部１１との境界位置の第１折曲げ可能部１４で後側に折り曲げて踏板１の裏面１ｃ前端部を覆い、この部分と踏板１の裏面１ｃ前端部とに亘って養生テープ２０を貼り付けて、養生材９の突出部１２を踏板１の裏面１ｃに固定すればよい。
【００７０】
（その他の実施形態）
尚、上記実施形態では、踏板１を覆う養生材９として断面Ｌ字状の板材を用いているが、養生材９を平板状の板材からなるものとして、その中間部に上記と同様の折曲げ可能部を形成することで、直角に折曲げ可能な板材とし、その板材の折曲げ可能部での折曲げによって断面Ｌ字状の養生材９を構成して、踏面覆い部１０と前端面覆い部１１及び突出部１２とを形成するようにしてもよい。こうすれば、平板状の板材を折り曲げることで、養生材９の踏面覆い部１０と前端面覆い部１１及び突出部１２とが形成されるので、上記実施形態のように、別々の板材を直角に接合して踏面覆い部１０と前端面覆い部１１及び突出部１２とを形成する場合に比べ、別のテープ材料等を用いることなく、養生材９を容易に形成することができる。
【００７１】
また、本発明の上記技術は、踏板１の一方の片側が側桁に挿入され、他方の片側が露出される半オープン階段にも使用可能であり、この場合は、踏板１は、その踏面１ａ（表面）及び前端面１ｂに貼着された養生テープ２０を外すことなく施工現場で取付可能な状態で組み付けられていればよい。
【産業上の利用可能性】
【００７２】
本発明は、踏板を側桁に固定して階段を施工すると同時に自動的に階段の養生状態が得られ、養生材取付前の清掃の手間が省け、さらには階段の施工を容易化することができるので、極めて有用である。
【符号の説明】
【００７３】
Ａ  階段セット
１  踏板
１ａ  踏面（表面）
１ｂ  前端面
１ｃ  裏面
１ｄ  後端面
２  切欠部
９  養生材
１０  踏面覆い部
１１  前端面覆い部
１２  突出部
１２ａ  後端面覆い部
１２ｂ  延長部
１４  第１折曲げ可能部
１６  脆弱部
１７  第２折曲げ可能部（折曲げ可能部）
２０  養生テープ
２１  段ボール（他の梱包材）
【図１】
2016183490.tif 000003
【図２】
2016183490.tif 000004
【図３】
2016183490.tif 000005
【図４】
2016183490.tif 000006
【図５】
2016183490.tif 000007
【図６】
2016183490.tif 000008
【図７】
2016183490.tif 000009
【図８】
2016183490.tif 000010
【図９】
2016183490.tif 000011
【図１０】
2016183490.tif 000012
【図１１】
2016183490.tif 000013
【図１２】
2016183490.tif 000014